(57)【特許請求の範囲】
【請求項１】
上部が開口し底板および囲い壁で形成した箱状の本体と、この本体の開口部をヒンジを介して開閉自在とし硬貨収納孔が設けられた蓋とからなる料金箱であって、前記本体を合成樹脂で形成するとともに、補強用のリブを、囲い壁の内壁面、囲い壁と底板との接合部および底板の外壁面に一体的に形成したことを特徴とする料金箱。
【請求項２】
請求項１記載の料金箱において、蓋を合成樹脂で形成するとともに、この蓋の下面側に補強板を固定し、この補強板に本体の囲い壁の内壁面に係合する係合部を設け、この係合部はその係合方向がヒンジの枢軸の軸線と平行な方向であることを特徴とする料金箱。
【発明の詳細な説明】
【０００１】
【発明の属する技術分野】
本発明は、自動販売機あるいは公衆電話機等の金庫室内に設置される料金箱に関する。
【０００２】
【従来の技術】
一般に、この種の料金箱は、上部が開口し箱状に形成された本体と、この本体の開口部を開閉自在とし硬貨収納孔が穿設された蓋とからなり、この蓋には硬貨収納孔を開閉する摺動自在に支持されたシャッタが設けられている。この料金箱は、料金の回収時に回収員が誤って料金箱を地面に落としたときに、収納されている硬貨の重量によって変形および破損しないように堅固に形成されていることが要求され、このために本体と蓋とは共に金属によって形成されていた。
【０００３】
【発明が解決しようとする課題】
しかしながら、上述した従来の料金箱では、金属で形成するために料金箱自体の重量が重く、その上に収納されている硬貨の重みが加わるために、料金箱を回収する作業員の労働負担が問題となっていた。また、金属で形成するために、溶接、めっき、塗装が必要となり、製造時における作業工程が多くなり、生産性が低くなるとともに製造コストを低下させるのが困難となっていた。
【０００４】
したがって、本発明は上記した従来の問題に鑑みなされたものであり、その目的とするところは、回収作業員の労働負担を軽減するとともに、製造コストの低減を図った料金箱を提供することにある。
【０００５】
【課題を解決するための手段】
この目的を達成するために、本発明に係る料金箱は、上部が開口し底板および囲い壁で形成した箱状の本体と、この本体の開口部をヒンジを介して開閉自在とし硬貨収納孔が設けられた蓋とからなる料金箱であって、前記本体を合成樹脂で形成するとともに、補強用のリブを、囲い壁の内壁面、囲い壁と底板との接合部および底板の外壁面に一体的に形成したものである。
したがって、本体が堅固な構造を維持しつつ軽量化される。また、囲い壁および底板の全体の強度が増すとともに、料金箱内に収納されている硬貨の重量によって最も負荷が加わる囲い壁と底板との接合部の強度が増す。
【０００６】
また、第２の発明は、第１の発明において、蓋を合成樹脂で形成するとともに、この蓋の下面側に補強板を固定し、この補強板に本体の囲い壁の内壁面に係合する係合部を設け、この係合部はその係合方向がヒンジの枢軸の軸線と平行な方向である。
したがって、蓋が堅固な構造を維持しつつ料金箱全体が軽量化されるとともに、補強板の係合部によって、料金箱を地面に落下させたとき収納されている硬貨の重みで変形および移動しようとする本体の変形および移動が規制される。
【０００７】
【発明の実施の形態】
以下、本発明の実施の形態を図に基づいて説明する。図１は本発明に係る料金箱の正面図、図２は同じく側面図、図３は同じく平面図、図４は本発明に係る料金箱における蓋の底面図、図５は図４におけるＶ−Ｖ  線断面図、図６は本発明に係る料金箱における本体の平面図、図７は本体の底面図、図８は図６および図７におけるＶＩＩＩ−ＶＩＩＩ  線断面図、図９は図２におけるＩＸ−ＩＸ  線断面図である。
【０００８】
図１および図２に示すように、符号１で示す料金箱は、共に合成樹脂で形成された蓋２と本体３とからなる。蓋２は浅皿状に形成され、両側部の後端側に一対のヒンジ部５，５（一方は図示を省略）が一体に形成されている。これらヒンジ部５，５間および本体３の囲い壁２７間に横架された、図３に示すように矢印Ａ−Ｂ方向に延在する軸６を枢軸として、蓋２は本体３の上部開口部を開閉自在とするように本体３に回動自在に支持されている。蓋２の正面側には、矩形状の孔７ａを有するロックプレート７が上端部を枢着され、図３に示すように、蓋２の略中央には硬貨収納孔９が穿設され、後部側には長孔１１が形成された平面視矩形状の凹部１０が設けられている。
【０００９】
図４および図５に示すように、蓋２の底面側には、略全面にわたって平面視格子状に配置したガイド凸条体１２が立設されているとともに、このガイド凸条体１２より高さの高いボス部１３が立設されている。１５は蓋２よりも外形寸法がやや小さい平板状の金属によって略矩形状に形成されたシャッタカバーで、上述した硬貨収納孔９よりやや大きい外形寸法の硬貨挿通孔１５ａが穿設されている。１６はシャッタカバー１５と外形寸法が同じでシャッタカバー１５よりも厚みある平板状の金属によって形成された補強板で、シャッタカバー１５の硬貨挿通孔１５ａよりもやや大きい外形寸法の硬貨挿通孔１６ａが穿設されている。
【００１０】
この補強板１６の矢印Ａ−Ｂ方向（枢軸６の延在する方向）の端縁には、Ａ−Ｂ方向と直交するように互いに対向して下方に直角に折り曲げられた３対の係合部１６ｂが立設され、これら係合部１６ｂの先端部は内側に鈍角状に折り曲げられている。また、補強板１６の矢印Ａ−Ｂ方向と直交する方向の一方の端縁には、係合部１６ｂと直交する別の係合部１６ｃが１個下方に直角に折り曲げられ、この係合部１６ｃの先端部は内側に鈍角状に折り曲げられている。これらシャッタカバー１５と補強板１６とは共に、それぞれの硬貨挿通孔１５ａ，１６ａが蓋２の硬貨収納孔９に対応するようにして、ねじ１７によって蓋２のボス部１３に固定されている。１９は硬貨収納孔９と略同じ外形寸法の硬貨通過孔１９ａを有する平板状の金属によって形成された従来から広く知られているシャッタであって、蓋２のガイド凸条体１２とシャッタカバー１５との間に嵌装され、これらの間を平面方向に摺動自在に支持されている。
【００１１】
このシャッタ１９には、上述した蓋２の長孔１１に嵌入し、長孔１１から凹部１０内に臨むシャッタピン２０が植設されている。通常、このシャッタ１９は図示を省略したばねによって硬貨通過孔１９ａが硬貨収納孔９に対応していない位置、すなわちシャッタ１９が硬貨収納孔９を閉塞するように位置付けられている。そして、図示を省略した装置の金庫室内に収納されると、金庫室内の係合部にシャッタピン２０が係合し、シャッタ１９が移動することにより、硬貨通過孔１９ａが蓋２の硬貨収納孔９に対応し、料金箱１内に硬貨の収納が可能となる。
【００１２】
図１および図２に示すように、本体３の正面部の上方には、挿通孔２３ａが形成された嵌合片２３が設けられており、上述したロックプレート７の孔７ａを嵌合片２３に嵌入させ、南京錠（図示せず）を挿通孔２３ａに係入して施錠することにより、本体３の開口部は蓋２によって閉じられる。また、南京錠を解錠し、ロックプレート７を手に把持して上方に持ち上げると、蓋２によって閉じられたいた本体３の開口部が開かれ、本体３内に収納された硬貨を回収することができるように構成されている。本体３の正面部の中央には、把手２４が枢着されており、この把手２４を手で把持し図１中手前側に引くことにより料金箱１を金庫室から取り出すことができるように構成されている。
【００１３】
次に、図６、図７、図８に基づいて本体３について説明する。本体３は、底板２６とこの底板２６の周端部から立設した囲い壁２７とによって、上部が開口した箱状に形成されている。この囲い壁２７の後側の上部の対向する側壁には、軸６が支持される支持孔２７ａ，２７ａが穿設されている。また、囲い壁２７の内壁面には、下端から上端に延在する第１の補強用のリブ２９が、囲い壁２７の周方向に略等間隔となるように囲い壁２７に一体に形成されており、この第１の補強用のリブ２９は、底板２６との接合部である下端部にすみ肉部２９ａが断面略三角形状に形成されている。
【００１４】
また、囲い壁２７の内壁面の下端部と底板２６との接合部には、図６に示すように前記第１の補強用リブ２９の間に配置されるように、第２の補強用リブ３０が本体３に一体に形成されており、この第２の補強用のリブ３０は、底板２６との接合部である下端部に断面略三角形状のすみ肉部３０ａが形成されている。
さらに、底板２６の外壁面には、平面視放射状の第３の補強用リブ３２が、底板２６の外壁面の周端部に突設された載置部３３と同じ高さになるように本体３に一体に形成されており、この第３の補強用のリブ３２は、底板２６との接合部である基端部には断面略三角形状のすみ肉部３２ａが形成されている。
【００１５】
このように形成された本体３の開口部を蓋２によって閉じると、図９に示すように、補強板１６の係合部１６ｂが本体３の囲い壁２７の内壁面に、蓋２の枢軸６と平行な係合方向（矢印Ａ−Ｂ方向）をもって係合する。したがって、硬貨が収納されている料金箱１を誤って地面に落としたとき、硬貨の重みによって本体３が蓋２に対して矢印Ａ−Ｂ方向、すなわち係合部１６ｂの囲い壁２７の内壁面に対する係合方向である枢軸６方向に変形および移動しようとするが、この係合部１６ｂによってその変形および移動が規制される。このため、Ａ−Ｂ方向に直交するように蓋２に形成したヒンジ部５が、本体３の移動によって破損されるのを防止することができる。また、別の係合部１６ｃが本体３の囲い壁２７の内壁面に、矢印Ａ−Ｂ方向と直交する係合方向をもって係合する。したがって、硬貨が収納されている料金箱１を誤って地面に落としたとき、硬貨の重みによって本体３が蓋２に対して矢印Ａ−Ｂ方向と直交する方向へ変形および移動しようとするが、この係合部１６ｃによってその変形および移動が規制される。
【００１６】
また、本体３の囲い壁２７は、その内壁面に設けた第１の補強用リブ２９が、囲い壁２７の下端から上端に延在し、かつ囲い壁２７の周方向にわたって等間隔に形成されているので、第１の補強用リブ２９によって、囲い壁２７の全体の強度が均一に増すように補強される。また、本体３の底板２６は、放射状に形成された第３の補強用のリブ３２によって中央部分を中心とした補強がなされ、かつ囲い壁２７との接合部に形成した第２の補強用のリブ３０によって端縁部分の補強が補われ、このため、底板２６の全体の強度が均一に増すように補強される。また、第２の補強用リブ３０によって、料金箱１内に収納されている硬貨の重量によって最も負荷が加わる囲い壁２７と底板２６との接合部の強度が増す。
【００１７】
このように、本体３は、底板２６、囲い壁２７および底板２６と囲い壁２７との接合部の補強がなされているので、料金箱１を誤って地面に落としたとき、収納されている硬貨の重量によって本体３が破損されるが防止される。
しかも、これら第１〜第３の補強用リブ２９，３０，３２は、底板２６との接合部にすみ肉部２９ａ，３０ａ，３２ａが形成されているために、これら接合部に応力が集中せずに分散されるため、これら第１〜第３の補強用リブ２９，３０，３２による補強がより強固となる。
【００１８】
また、料金箱１を合成樹脂で形成したことにより、全体の軽量化が図られ、このため回収作業員の労働負担が軽減される。さらに合成樹脂で形成したことにより、蓋２および本体３を一体成形により形成することができるので、従来金属で行っていた溶接やめっきあるいは塗装が不要となり、このため製造工程および製造コストが低減される。
【００１９】
なお、本実施の形態においては、シャッタカバー１５の他に補強板１６を設けるようにしたが、これに限定されず補強板１６にシャッタカバー１５の機能を兼用させることにより、シャッタカバー１５を省略することができる。
また、補強板１６に形成した係合突起１６ｂを補強板１６の端縁の全周にわたって設けるようにしてもよい。
また、第１、第２、第３の補強用リブ２９，３０，３２の形状、外形寸法、配置等は、本実施の形態に限らず種々の設計変更が可能である。
【００２０】
【発明の効果】
以上説明したように本発明によれば、上部が開口し底板および囲い壁で形成した箱状の本体と、この本体の開口部をヒンジを介して開閉自在とし硬貨収納孔が設けられた蓋とからなる料金箱であって、前記本体を合成樹脂で形成するとともに、補強用のリブを、囲い壁の内壁面、囲い壁と底板との接合部および底板の外壁面に一体的に形成したことにより、本体の補強がなされるとともに、本体の軽量化が図られ、このため回収作業員の労働負担が軽減される。また、本体を一体成形により形成することができるので、従来金属で行っていた溶接やめっきあるいは塗装が不要となり、このため製造工程および製造コストが低減される。また、囲い壁および底板の全体の強度が増すとともに、料金箱内に収納されている硬貨の重量によって最も負荷が加わる囲い壁と底板との接合部の強度が増す。このため、料金箱を誤って地面に落としたとき、収納されている硬貨の重量によって本体が破損されるのが防止される。
【００２１】
また、第２の発明によれば、第１の発明において、蓋を合成樹脂で形成するとともに、この蓋の下面側に補強板を固定し、この補強板に本体の囲い壁の内壁面に係合する係合部を設け、この係合部はその係合方向がヒンジの枢軸の軸線と平行な方向であることにより、硬貨が収納されている料金箱を誤って地面に落としたとき、硬貨の重みによる本体の蓋に対する位置ずれが規制される。このため、蓋に形成したヒンジ部が、本体の移動によって破損されるのを防止できる。また、料金箱全体の軽量が図られるので、回収作業員の労働負担が軽減される。
【図面の簡単な説明】
【図１】本発明に係る料金箱の正面図である。
【図２】本発明に係る料金箱の側面図である。
【図３】本発明に係る料金箱の平面図である。
【図４】本発明に係る料金箱における蓋の底面図である。
【図５】図４におけるＶ−Ｖ  線断面図である。
【図６】本発明に係る料金箱における本体の平面図である。
【図７】本発明に係る料金箱における本体の底面図である。
【図８】図６および図７におけるＶＩＩＩ−ＶＩＩＩ  線断面図である。
【図９】図２におけるＩＸ−ＩＸ  線断面図である。
【符号の説明】
１…料金箱、２…蓋、３…本体、９…硬貨収納孔、１６…補強板、２６…底板、２７…囲い壁、２９…第１の補強用リブ、３０…第２の補強用リブ、３２…第３の補強用リブ。
【図１】
0003586783.tif 000002
【図２】
0003586783.tif 000003
【図３】
0003586783.tif 000004
【図４】
0003586783.tif 000005
【図５】
0003586783.tif 000006
【図６】
0003586783.tif 000007
【図７】
0003586783.tif 000008
【図８】
0003586783.tif 000009
【図９】
0003586783.tif 000010